(57)【要約】  本発明は、スロット（１０）が製品（１）の一方の側から反対の側まで段ボール部分の間を延び、スロット（１０）が製品（１）の外縁に対して垂直に延びることが予想されるような互いに接続された少なくとも２つの段ボール部分（２）を含む製品（１）の品質を検査する方法であって、製品（１）の一方の側でのスロット（１０）のかつ製品の反対の側でのスロットの２Ｄ画像を取り込む段階と、スロット（１０）を認識するために画像を解析する段階と、両側で１つの製品のスロットの位置を比較する段階と、位置間の差が公差の予め定められた範囲内であるか否かを決定する段階とを含む上記方法に関する。本発明は、更に、スロット（１０）が製品の一方の側から反対の側に延び、スロットが製品の外縁に対して垂直に延びることが予想されるような互いに接続された少なくとも２つの段ボール部分（２）から作られた製品（１）の品質を検査するための機械に関連し、機械は、製品を積み重ねるための積み重ね区域で２Ｄ画像を取り込むようになった２つのカメラ（３０４）と、製品の２つの側のスロットの位置を取り込み画像内で認識するようになった画像処理モジュール（３０６）と、製品の両側でのスロットの位置間のオフセットの量を決定するようになったオフセット決定モジュール（３１０）とを含む。【選択図】図２
2020529611.tif 000002
【特許請求の範囲】
【請求項１】
スロット（１０）が製品（１）の一方の側から反対の側まで段ボール部分の間を延び、該スロット（１０）が前記製品（１）の外縁に対して垂直に延びることが予想されるような互いに接続された少なくとも２つの段ボール部分（２）を有する製品（１）の品質を検査する方法であって、
前記製品（１）の一方の側と前記製品（１）の反対の側での前記スロットの２次元画像を取り込む段階と、
前記スロット（１０）を認識するために前記画像を解析する段階と、
両側で１つの製品の前記スロットの位置を比較する段階と、
前記位置の各々が前記製品の前記外縁に沿って測定される段階と、
前記位置間の差が公差の予め定められた範囲内であるか否かを決定する段階と、
を含むことを特徴とする方法。
【請求項２】
前記２次元画像は、２つのカメラ（３０４）を用いて取り込まれ、各カメラ（３０４）が、検査される前記製品の１つの側面に割り当てられる、
請求項１に記載の方法。
【請求項３】
前記カメラ（３０４）は、ラインカメラである、
請求項２に記載の方法。
【請求項４】
前記カメラ（３０４）は、較正ターゲットの支援によって較正される、
請求項２又は３に記載の方法。
【請求項５】
前記２次元画像は、製品の積み重ねに対して取り込まれる、
請求項１ないし４のいずれか１項に記載の方法。
【請求項６】
前記２次元画像は、前記側面の長さの断片、好ましくは該側面の該長さの１０％未満である前記製品の該側面の一部分に対して取り込まれる、
請求項１ないし５のいずれか１項に記載の方法。
【請求項７】
前記スロット（１０）の中心が、該スロットを認識するために前記画像を解析する前記段階中に決定される、
請求項１ないし６のいずれか１項に記載の方法。
【請求項８】
スロット（１０）が製品（１）の一方の側から反対の側まで延び、該スロットが製品の外縁に対して垂直に延びることが予想されるような互いに接続された少なくとも２つの段ボール部分（２）から作られた製品（１）の品質を検査するための機械であって、
前記製品を積み重ねるための積み重ね区域で２次元画像を取り込むようになった２つのカメラ（３０４）と、
前記製品の前記２つの側の前記スロットの前記画像内で前記外縁の方向に沿って測定された位置を前記取り込んだ画像内で認識するようになった画像処理モジュール（３０６）と、
前記製品の前記両側での前記スロットの位置間のオフセットの量を決定するようになったオフセット決定モジュール（３１０）と、を備えている、
ことを特徴とする機械。
【請求項９】
前記カメラに対して正しく位置決めされたスロットの位置に対応する較正データを格納するメモリを更に備えている、
請求項８に記載の機械。
【発明の詳細な説明】
【技術分野】
【０００１】
本発明は、製品の一方の側から反対の側に段ボール部分の間をスロットが延び、スロットが製品の外縁に対して垂直に延びることが予想されるように互いに接続された少なくとも２つの段ボール部分を含む製品の品質を検査するための方法及び機械に関する。
【背景技術】
【０００２】
製品は、特に梱包箱のような折り畳み可能な箱である。箱の製造中に、段ボール部分は互いに接着される。隣接する段ボール部分の間には、箱の一方の側から反対の側にスロットが横断方向に延びている。
【０００３】
段ボール部分は、１つの同じ段ボール要素の対向配置された部分とすることができ（段ボール要素が、少なくとも１つの周方向に箱の壁を形成し、そのために対向配置された部分が、それらがスロットによって分離されるように互いに近くに位置する状態になる場合）、又は段ボール部分は、箱を形成するように互いに接続された別々の段ボール要素である。
【０００４】
段ボール部分が正しく互いに接着されたと仮定すると、スロットは、幅全体にわたって一定寸法を有する。そうでなければ、寸法は、幅にわたって変化する。
【０００５】
スロットの幅を点検することは、ＷＯ  ２０１６／０９６１５７  Ａ１から公知である。一般的に、スロットの幅は、製品の両側で測定される。幅が（ある一定の公差内で）同じであり、かつ予め定められた範囲内にある場合に、品質は、問題なしと考えられる。
【０００６】
しかし、段ボール部分は、時には完全な四角ではないことが分かっている。スロットは、箱の一方の側から他方に斜めに又は湾曲経路に沿って延び、かつ箱の両側で同じ幅を有することが可能である。この種の欠陥は、それが四角ではない段ボール部分の結果であるので、「四角化問題」と呼ばれる。
【０００７】
そのような製品をＷＯ２０１６／０９６１５７Ａ１のデバイス及び方法を用いて検査すると、箱は、たとえスロットが品質期待値にそのように対応しなくても、問題なしとされる。
【先行技術文献】
【特許文献】
【０００８】
【特許文献１】ＷＯ  ２０１６／０９６１５７  Ａ１
【発明の概要】
【発明が解決しようとする課題】
【０００９】
本発明の目的は、すなわち、四角化問題を検出することを可能にすることである。
【課題を解決するための手段】
【００１０】
この目的を達成するために、本発明は、製品の一方の側から反対の側に段ボール部分の間をスロットが延び、スロットが製品の外縁に対して垂直に延びることが予想されるような互いに接続された少なくとも２つの段ボール部分を含む製品の品質を検査する方法であって、
製品の一方の側で及び製品の他方の側でスロットの２次元画像（又は２Ｄ画像）を取り込む段階と、
スロットを認識するために画像を解析する段階と、
１つの製品のスロットの位置を両側で比較する段階と、
位置間の差が公差の予め定められた範囲内にあるか否かを決定する段階と、
を含む方法を提供する。
【００１１】
２次元画像は、そのピクセル値が１又はいくつかの測光値を表す画像を意味する。例えば、画像ピクセルは、１つのグレイスケール値（グレイスケール２Ｄ画像をもたらす）、又は赤色、青色、及び緑色チャネルを表す３つの値（カラー２Ｄ画像をもたらす）を有する場合がある。そのピクセル値がカメラとピクセルに関連するシーンの部分との間の距離を表す画像は、２次元画像として見なされない。好ましくは、ここではグレイスケール２Ｄ画像を使用する。
【００１２】
位置は、製品の外縁の方向に沿って測定される。この関連では、位置は１次元数である。画像は、この方向が水平であり（画像座標に従って）、すなわち、位置がスロットの水平の場所であるように構成することができる。
【００１３】
本発明は、更に、スロットが製品の一方の側から反対の側に延び、スロットが製品の外縁に対して垂直に延びることが予想されるような互いに接続された少なくとも２つの段ボール部分から作られた製品の品質を検査するための機械を提供し、機械は、製品を積み重ねるための積み重ね区域で２Ｄ画像を取り込むようになった２つのカメラと、製品の２つの側のスロットの位置を取り込み画像内で認識するようになった画像処理モジュールと、製品の両側でのスロットの位置間のオフセットの量を決定するようになったオフセット決定モジュールとを含む。
【００１４】
本発明の基礎となる原理は、スロットが製品の両側で同じ位置にあるかを検査することである。そうである場合に、これは、四角化問題が存在しないことを示す。本発明による方法及び機械の主な利点は、スロットの位置の決定を多くの計算労力なしに非常に迅速に行うことができることである。更に、ＷＯ  ２０１６／０９６１５７  Ａ１から公知の機械のハードウエアは、スロットを一定幅に関してだけなく四角化問題に関しても点検することができるように「アップグレード」することができる。ここでの「アップグレード」は、ソフトウエアレベルで更に別の解析機能を追加し、追加のハードウエアが不要であることを意味する。
【００１５】
本発明の実施形態によれば、２Ｄ画像は、２つのカメラを用いて取り込まれ、各カメラは、検査される製品の１つの側面に割り当てられる。２Ｄカメラの使用は、少ないデータ量での高品質画像の高い頻度の取得を可能にする。
【００１６】
更に少ないデータ量は、１Ｄカメラ（ラインカメラ）が使用される場合（又は２Ｄカメラの単一ラインだけが使用される場合）に達成することができる。ラインカメラを使用する時に、２次元画像は、この説明で後述するようにカメラを移動することによって取得することができる。
【００１７】
本発明の好ましい実施形態によれば、カメラは、較正ターゲットの支援によって較正される。較正ターゲットのスロットの画像を取り込むことにより、互いに対する２つのカメラの正確な位置が利用可能にされる。較正段階の後に、品質要件を完全に満たす製品に対してどの位置で２つのスロットがカメラから「見られる」かが既知である。
【００１８】
このようにして取得された較正値は、オフセット決定モジュール内、または一般的に機械制御部内のメモリに格納することができる。時々に、較正は、時間と共に発生するいずれの公差も認識されて製品の品質を検査する時に適切に考慮されることを保証するために繰り返される。
【００１９】
好ましくは、２Ｄ画像は、製品の積み重ねに対して取り込まれる。このように、製品が積み重ねられているので動かないときに、品質管理を行うことが非常に好都合に可能である。また、折り畳まれた箱の接着は、製品を積み重ねる時には、まだ行われたばかりである場合があり、接着部分の僅かな動きを潜在的に引き起こす。この僅かな動きから生じる欠陥は、品質管理が製品の積み重ねに対して（すなわち、積み重ね作動の後で）行なわれる場合に、チェックされる。
【００２０】
データ量を可能な限り少なく保つために、２Ｄ画像は、側面の長さの小さい部分、好ましくは側面の長さの１０％未満である製品の側面の一部分に関して、取り込まれる。カメラによって「カバーされる」区域は、こうしてスロットが典型的に配置される範囲に限定される（又は、より幅広の画像が取り込まれる場合に、より小さい当該区域に電子的に限定される）のが好ましい。仮に、カメラがこの範囲内にスロットを検出しない場合に、製品は、いずれにせよ不合格とされることになると仮定することができる。
【００２１】
本発明の実施形態により、スロットの中心は、スロットを認識するために画像を解析する段階中に決定される。２つの中心の位置は、例えば各スロットの２つの外縁を比較することよりも好都合に比較することができる。
【００２２】
包含する図面に示す実施形態を参照して本発明を以下に説明する。
【図面の簡単な説明】
【００２３】
【図１】四角化問題を有する製品の例を示す図である。
【図２】本発明による機械の概略図である。
【図３】図２の機械に使用されるカメラのうちの１つの概略図である。
【図４】図３のカメラを断面に示す概略図である。
【図５】図２の機械を用いて取り込まれた画像の概略図である。
【発明を実施するための形態】
【００２４】
図１は、品質が検査される製品の一例としてここに使用される折り畳み可能な箱１を示している。箱１は、図１では互いに接続された段ボール部分２を含む折り畳まれた状態で示されており、かつ折り目５によって段ボール部分２に接続されたフラップ４を含む。ここでは、隣接する段ボール部分２は、舌状部６の支援によって互いに接着される。
【００２５】
隣接する段ボール部分２間には、スロット１０が存在する。理想的には、スロットは、折り畳み可能な箱の外縁に対して垂直に延びる。
【００２６】
実際には、段ボール部分２は、時々、四角ではなく、むしろ図１に破線で示された形態を有する。これは、「四角化問題」と呼ばれる。
【００２７】
スロット１０の幅は、幅にわたってほぼ一定であることがわかり、製品の両側で測定することができる幅Ｗ１、Ｗ２が同じであることを意味する。従って、両側でスロットの幅を互いに比較した場合（かつ更に幅が予め定められた値内にそのようなものとしてある場合）に品質問題は検出されない。
【００２８】
製品の両側でのスロットの幅の比較に関して、その開示が引用によって本明細書に組み込まれているＷＯ  ２０１６／０９６１５７  Ａ１からの機械が公知である。
【００２９】
図２は、ＷＯ  ２０１６／０９６１５７  Ａ１に開示された機械にほぼ対応するが一部の修正を含む機械５０を示す。
【００３０】
図２に示す機械５０は、折り畳み可能な箱１を製造するように意図しており、少なくとも、
各折り畳み可能な箱１の接着区域に接着剤を付加するように構成された接着デバイス５２と、
接着される区域を接着区域の上に接着するために段ボール部分２を折り畳むように構成された折り畳みデバイス５４と、
折り畳まれ曲げられた状態で折り畳み可能な箱１を積み重ねるように構成された積み重ねデバイス５６と、
パック３０１を形成するために折り畳み可能な箱１を四角化するように構成された四角化デバイス６０と、
折り畳み可能な箱１を接着デバイス５２に、次に折り畳みデバイス５４に、次に積み重ねデバイス５６に置くように構成され、この場合に毎時約１８００個の折り畳み可能な箱１に等しい設置の出力速度を与えるベルトコンベヤである搬送デバイス５８と、
２つの検査デバイス３００と、を備えている。
【００３１】
ここでは、検査デバイス３００は、積み重ねデバイス５６かつ四角化デバイス６０の下流に置かれる。接着デバイス５２、折り畳みデバイス５４、積み重ねデバイス５６、及び四角化デバイス６０は、搬送デバイス５８によって決定された循環の方向に上流から下流端まで互いに追随している。従って、各検査デバイス３００は、パック３０１単位で折り畳み可能な箱１を検査する。
【００３２】
これに加えて、２つの検査デバイス３００は、２つの周囲パック面３１２のそれぞれの画像を形成するように配置される。この配置を使用して、パック３０１に収容された各折り畳み可能な箱１の全てのスロットを検査することができる。
【００３３】
検査デバイス３００の各々の基本構成が図３及び図４に示されている。
【００３４】
各検査デバイスは、２つの光源３０２．１及び３０２．２を有する照明システム３０２、フレームワーク３０３、カメラ３０４、概略的に示す機械制御部３０５、及び画像処理モジュール３０６を含む。
【００３５】
カメラ３０４は、ライン走査カメラである。ライン走査カメラは、感光部分が一連のセンサ（１ｘｎの寸法を有する）で構成されたカメラである。センサは、ＣＣＤ（「電荷結合デバイス」）センサ又はＣＭＯＳ（「相補型ＭＯＳ」）センサである場合がある。カメラ３０４は、光ビーム３０４．４を受光するように構成される。
【００３６】
各検査デバイス３００は、単一カメラ３０４によって形成される。カメラ３０４は、光学補正デバイス３０４．５及び使用中のカメラ３０４を冷却するように構成されたヒートシンク３０４．６を有する。
【００３７】
各光源３０２．１及び３０２．２は、矩形マトリックスに配置された発光ダイオード（ＬＥＤ）３０２．５で構成される。各光源３０２．１及び３０２．２は、それぞれのヒートシンク３０２．６及び３０２．７を含む。
【００３８】
更に、検査デバイス３００は、折り畳み可能な箱の各パックから受光された光をカメラ３０４に向けて反射するように配置された反射ミラー３０８を含む。この反射ミラー３０８は、コンパクトな検査デバイス３００を形成することを可能にする。各光源３０２．１及び３０２．２は、フレームワーク３０３に形成された開口３０９を通して折り畳み可能な箱の各パックを直接に照明する。
【００３９】
使用時にカメラ３０４から得られた画像は、製品１の外縁の長さの断片である。各画像は、通常公差を考慮に入れて、解析されるべきスロットが典型的に配置された小さい領域のみを「カバーする」ことができる。カメラ３０４のカバー範囲を狭くすることにより、画像処理の継続時間を最小にすることができる。
【００４０】
この場合に、検査デバイス３００は、直列に位置決めされ、すなわち、検査は、搬送デバイス５８がパック３０１を検査デバイス３００の前の位置に持ってきた時に行われる。搬送デバイス５８は、パック３０１を水平方向に搬送するように配置される。
【００４１】
画像取り込みのため、検査デバイス３００は、パック３０１に対して垂直に移動される。好ましくは、パック３０１の折り畳まれた箱の両端での両方の検査デバイス３００は、折り畳み可能な箱の前面及び背面が同時に捕捉されるように同時に移動され、箱が取り込み間で移動しなかったことを保証する。
【００４２】
この機械を用いて、折り畳まれた箱の両端でのスロットの幅が同じであるかを（公差の予め定められた範囲内で）検査することが一般的に可能である。この検査の詳細に関して、ＷＯ  ２０１６／０９６１５７  Ａ１を参照されたい。
【００４３】
四角化問題の識別するため、機械は、段ボール部分２が四角であり、かつスロットが製品の外縁に対して垂直に延びるときのように、スロット１０が両側で同じ位置で「終了する」か否かを決定することを可能にするオフセット決定モジュール３１０を有している。
【００４４】
オフセット決定モジュール３１０は、画像処理モジュール３０６によって使用される正に同じ画像を処理する。これに代えて、オフセット決定モジュール３１０は、画像処理モジュール３０６に組み込まれる。
【００４５】
一般的に、四角化問題は、特定のスロットが製品の両側で可視である位置を比較することによって検出される。スロットが両側で同じ位置で（この意味は、製品の外縁に対して垂直である線に沿って）終了する場合に、段ボール部分２は四角であり、品質は問題なしである。
【００４６】
製品の両端でのスロットの位置の決定するため、カメラ３０４で取り込まれた画像が解析される。特に、両端でのスロットの中心の位置が決定される。
【００４７】
その後の段階では、中心の位置は、例えばそれらを互いから差し引くことによって比較される。比較の結果がある一定の閾値よりも下である場合に、品質は、問題なしと考えられる（潜在的な四角化問題に関して）。
【００４８】
四角化問題の適切な決定のため、機械５０が積み重ね（スタック）の両側でのカメラ３０４の位置を学習することを可能にする較正段階が行われる。カメラ３０４が、積み重ね（スタック）に対して同じ位置にあると仮定すると、較正ターゲット内のスロットの端部の位置の差はゼロである。カメラ３０４が理論的な位置から僅かにオフセットして配置される場合に、オフセット決定モジュールによって行われる比較は、メモリ３１２に格納することができるある一定の較正値をもたらす。すなわち、オフセット決定モジュール３１０は、次のオフセット決定を行う時にこのオフセットを考慮する。
【００４９】
図５は、支持体Ｓ上に集められた製品２の積み重ねの両側でカメラ３０４を用いて取り込まれた画像の例を示している。
【００５０】
区域Ｉでは、製品の一方の横側面の画像の例が示され（例えば、図１に示す製品の上側）、区域ＩＩでは、製品の反対の側の対応する画像が示されている（ここでは図１に示す製品の下側）。
【００５１】
より参照しやすいように、製品は、最も下の製品２に対する１から始めて数字でラベル付けされている。更に、仮想基準線Ｒが、ここでは画像の各々に対して描かれている。この線は、較正ターゲットを用いて決定された製品の側面でのスロットの場所に対応する。
【００５２】
第１の製品２に関して、スロット１０は、完全な場所に近い両側で終了する。製品２の２つ側面でのスロット１０の開口部の中心は、基準線Ｒがある場所である。
【００５３】
第２の製品に関して、一方の側（区域Ｉ）のスロットの中心は、基準線Ｒの右側であり、一方で他方の側（区域ＩＩ）のスロットの中心は、基準線Ｒの左側である。これは、スロットの中心が両側に関して同じ方向に（図１を見ると、左に）変位したことを意味し、従って、両側でのスロットの幅の差が予め定められた公差範囲内であるか否かが問題である。
【００５４】
第３の製品２に関して、スロットの中心は、それらが基準線Ｉの両側に配置された時に互いから有意にオフセットしている（画像の１つは、それを図５の他方の１つと並べて示すことによってミラー反転していることに注意されたい）。第３の製品は、すなわち、四角化問題を有する。
【００５５】
第４の製品２に関して、スロット１０は、ここでもまた完全な場所に近い位置に両側で終了する。
【００５６】
第５の製品２に関して、四角化問題が存在する。
【００５７】
機械制御部は、すなわち、スロットの一定幅に関してだけでなく、四角化問題に関しても製品の品質を非常に迅速に検査することができる。
【図１】
2020529611.tif 000003
【図２】
2020529611.tif 000004
【図３】
2020529611.tif 000005
【図４】
2020529611.tif 000006
【図５】
2020529611.tif 000007
【国際調査報告】
2020529611.tif 000008
2020529611.tif 000009